(57)【要約】【課題】外部機器を容易に接続でき、接続ケーブルも邪魔にならない、有線方式の端子収納部を有する画像表示装置を提供する。【解決手段】画像表示装置１は、筐体外周に設けられたレール３０と、画像信号を入出力するための外部接続端子３０Ａ１を収納する端子収納部３０Ａと、この外部接続端子３０Ａ１に接続され、レール３０を介して筐体内部に延びる入出力信号線３０Ｂとを備え、端子収納部３０Ａは、レール３０に摺動可能に取り付けられている。【選択図】図１１
2006211396.tif 000002
【特許請求の範囲】
【請求項１】
外部機器に対して画像信号の入出力を行うための外部接続端子と、この外部接続端子から入力される画像信号に基づいて、光学像を形成する画像表示部と、入力された画像信号を処理する画像信号処理部と、この画像処理部を内部に収納するとともに、前記画像表示部が外周面で露出する筐体とを備えた画像表示装置であって、
前記筐体外周面に沿って延出して設けられたレールと、
このレールに対して摺動自在に支持され、前記外部接続端子を収納する端子収納部と、
前記レールには、この端子収納部に収納された外部接続端子と前記画像信号処理部とを接続する入出力信号線とを備えていることを特徴とする画像表示装置。
【請求項２】
請求項１に記載の画像表示装置において、
前記筐体は、前記画像表示部が露出する前面部と、この前面と離間して対向配置される背面部と、前記前面部の端部から背面部に延びる側面部とを備えた箱型形状をなし、
前記レールは、前記前面部、側面部および背面部が交差する少なくとも２面にまたがって設けられていることを特徴とする画像表示装置。
【請求項３】
請求項２に記載の画像表示装置において
前記交差部分のレールは、曲線状に曲折されていることを特徴とする画像表示装置。
【請求項４】
請求項１〜請求項３のいずれかに記載の画像表示装置において、
前記筐体内部には、前記画像処理部で処理された画像信号に基づいて光学像を形成し、拡大投射する画像形成部が設けられ、
前記画像表示部は、この画像形成部から投射された画像が投影されるスクリーンであることを特徴とする画像表示装置。
【発明の詳細な説明】
【技術分野】
【０００１】
本発明は、画像表示装置に関する。
【背景技術】
【０００２】
従来、テレビ受像機のような画像表示装置には、画像信号や音声信号を入出力するための端子収納部が、機器の前面や背面、あるいは双方に設けられている。一般に、前面には頻繁に取り外しをするゲーム機のような機器が接続され、背面には、ビデオデッキなど長期間に渡って使用する機器が接続される。
しかし、テレビ受像機は部屋の壁に近づけて設置することが多く、上述の構成では、リアプロジェクタのように大型化するに従って、背面の端子収納部への接続作業が困難となる。一方、前面の端子収納部に外部機器を常時接続しておくのでは、接続ケーブルが邪魔になるという問題がある。
そこで、外部機器との接続を無線化して接続ケーブルをなくすという提案がなされている（例えば、特許文献１）。これによれば、テレビ受像機等の周辺でケーブルが絡みあうこともなくテレビ受像機の設置が容易となる。
【０００３】
【特許文献１】特開平５−０２２１９１号公報（〔発明の効果〕）
【発明の開示】
【発明が解決しようとする課題】
【０００４】
しかしながら、外部機器との接続を、このような無線方式にするには、あらかじめ定められた入出力インターフェース回路をテレビ受像機等に配設しなければならないため、接続できる機器も限定され、また製造コストも高くなる。
【０００５】
本発明の目的は、リアプロジェクタのような大型の画像表示装置であっても、特別な回路を用いることなく複数の外部機器を容易に接続でき、接続ケーブルも邪魔にならない、有線方式の端子収納部を有する画像表示装置を提供することにある。
【課題を解決するための手段】
【０００６】
本発明における画像表示装置は、外部機器に対して画像信号の入出力を行うための外部接続端子と、この外部接続端子から入力される画像信号に基づいて、光学像を形成する画像表示部と、入力された画像信号を処理する画像信号処理部と、この画像処理部を内部に収納するとともに、前記画像表示部が外周面で露出する筐体とを備えた画像表示装置であって、前記筐体外周面に沿って延出して設けられたレールと、このレールに対して摺動自在に支持され、前記外部接続端子を収納する端子収納部と、前記レールには、この端子収納部に収納された外部接続端子と前記画像信号処理部とを接続する入出力信号線とを備えていることを特徴とする。
【０００７】
ここで、画像信号には画像のみならず音声信号が含まれてもよい。また、外部接続端子としては、Ｄ−Ｓｕｂ端子、ステレオ音声入力端子、ビデオ入力端子等の汎用入出力端子が好適に用いられる。
本発明によれば、画像表示装置の筐体の周囲にレールが設けられており、そのレールには、外部接続端子が収納される端子収納部が摺動可能に取り付けられているので、端子収納部を必要な位置にずらして外部接続端子を利用できる。すなわち、接続する機器が増減した場合であっても、接続が容易となり、例えば、前面専用（固定）の外部接続端子は不要となる。その結果、接続配線が一箇所に集中することもなく、画像表示装置の周囲が常に整理された状態となる。特に、画像表示装置が端子収納部を複数個備えた場合、多数の外部機器を整理された状態で接続できるため、より好適である。
【０００８】
本発明では、前記筐体は、前記画像表示部が露出する前面部と、この前面と離間して対向配置される背面部と、前記前面部の端部から背面部に延びる側面部とを備えた箱型形状をなし、前記レールは、前記前面部、側面部および背面部が交差する少なくとも２面にまたがって設けられていることが好ましい。
本発明によれば、レールが筐体の少なくとも２面にまたがって配設されているので、筐体の前面部だけでなく、側面部や背面部にも端子収納部を移動でき、端子収納部の使い勝手が向上する。
【０００９】
本発明では、前記交差部分のレールは、曲線状に曲折されていることことが好ましい。
本発明によれば、筐体の周囲に設けられたレールが、筐体の面と面が交差する部分で曲線構造をしており、いわゆるカーブを描いて筐体を曲がるので、前面部から側面部、さらには側面部から背面部に端子収納部を滑らかに摺動させることできる。
【００１０】
本発明では、前記筐体内部には、前記画像処理部で処理された画像信号に基づいて光学像を形成し、拡大投射する画像形成部が設けられ、前記画像表示部は、この画像形成部から投射された画像が投影されるスクリーンであることが好ましい。
本発明によれば、端子収納部が筐体周囲を摺動できるため、リアプロジェクタのような大型の画像表示装置に対して、特に利便性が高い。
【発明を実施するための最良の形態】
【００１１】
以下、本発明の一実施形態に係る画像表示装置を図面に基づいて説明する。
図１は、画像表示装置としてのリアプロジェクタ１を正面側（前面部）から見た斜視図である。また、図２は、リアプロジェクタ１を背面側から見た図であり、図３は、当該リアプロジェクタ１を左側面から見た図である。なお、図３でいう左側とは、リアプロジェクタ１を正面から見た場合の左側を指す。
リアプロジェクタ１は、光源から射出された光束を、入力する画像情報に応じて変調して光学像を形成し、形成した光学像を、当該リアプロジェクタ１に設けられた透光性のスクリーン２Ｂに拡大投射するものである。
【００１２】
（１）外観構成
リアプロジェクタ１は、図１から図３に示すように、正面側から見て略長方形状を有し、縦断面略三角形状を有する上部キャビネット２と、この上部キャビネット２を下方から支える下部キャビネット３を備えて構成されている。これら上部キャビネット２および下部キャビネット３は、互いにねじ等により固定されている。
このうち、上部キャビネット２は、図１に示すように、内部に後述する反射ミラー２Ａ（図４）を収納するミラーケース２１と、スクリーン２Ｂを保持するフレーム枠２２とを備えて構成される。
また、下部キャビネット３は、上部キャビネット２を支持するとともに、リアプロジェクタ１の主要な構成部品を内部に収納する平面視略台形状の箱型筐体である。
【００１３】
（1-1）リアプロジェクタ１の正面構成
リアプロジェクタ１の正面側、すなわち、上部キャビネット２の正面側には、図１に示すように、フレーム枠２２が配置されている。
フレーム枠２２は、後述するミラーケース２１の正面側の寸法と略同じ大きさで正面視略長方形状に形成され、当該ミラーケース２１の正面側に、ねじ等により固定される。
このフレーム枠２２は、前述のように、光学像が投射されるスクリーン２Ｂを保持する。このため、フレーム枠２２の略中央には、スクリーン２Ｂの光学像投射領域と略同じ大きさの略長方形状の開口部２２１が形成され、当該開口部２２１からスクリーン２Ｂが露出する。また、この開口部２２１の左右両側には、背面側にそれぞれ２個のスピーカ（図示省略）が配置されたスピーカ設置部２２２，２２３が形成されている。
【００１４】
ここで、スクリーン２Ｂは、フレネルシート、レンチキュラーシート、ガラス板等の保護板を備えて構成されている。このうち、フレネルシートは、光学ユニットの投射レンズ４６（図４）から射出され、後述するミラー２Ａ（図４）で反射された光束を平行化する。また、レンチキュラーシートは、フレネルシートを透過して平行化された光束を、当該レンチキュラーシートを構成する光学ビーズによって拡散して、表示画像を適切に視認できるように構成されている。
【００１５】
下部キャビネット３（図１）の正面側には、略中央に略長方形状の開口部３１が形成され、上下方向に回動して、当該開口部３１を開放および閉塞する蓋部材３１Ａが設けられている。
この開口部３１の内部には、詳しい図示を省略するが、正面側操作パネルとしてのフロントパネルが設けられている。このフロントパネルの左側部分には、音量調節や画質調整等を行う各種操作スイッチが配設されている。
【００１６】
また、下部キャビネット３の外周には、レール３０が設けられており、このレール３０には、複数の端子収納部３０Ａが摺動可能に取り付けられている。これらの端子収納部３０Ａには、ＰＣ（Personal Computer）接続端子としてのＤ−Ｓｕｂ端子、ステレオ音声入力端子、ビデオ入力端子等の外部接続端子３０Ａ１が設けられているが詳細は後述する。
【００１７】
フロントパネルの右側部分には、各種半導体メモリカードが挿入され、当該カードからデータを読み取るカードリーダが配設されている。このような開口部３１の右側には、電源スイッチ３２が設けられている。これらフロントパネルおよび電源スイッチ３２は、後述する制御基板５（図５）に電気的に接続されている。
また、下部キャビネット３の正面側左右両端には、脚部３３が形成されている。
【００１８】
（1-2）リアプロジェクタ１の背面構成
リアプロジェクタ１の背面側（背面部および側面部）は、図２および図３に示すように、上部キャビネット２のミラーケース２１および下部キャビネット３により構成される。
このうち、ミラーケース２１は、縦断面略三角形状を有する合成樹脂製の箱型筐体である。このミラーケース２１は、リアプロジェクタ１の背面部を構成する背面壁２１１と、この背面壁２１１の下方端部と接続される底面壁２１２と、これら背面壁２１１および底面壁２１２の左右両側に位置する一対の側壁（側面部）２１３，２１４とから構成されている。また、このミラーケース２１の正面側には、側壁２１３，２１４に略直交し、互いに離間する方向、すなわち、リアプロジェクタ１の左右方向に延出する延出部２１５，２１６が形成されている。
【００１９】
背面壁２１１は、長辺が上方に位置する平面視略台形状の形状を有し、後方の下側に向かって傾斜するように形成されている。この背面壁２１１の内側の面には、後述する反射ミラー２Ａが所定角度で支持されている。
一対の側壁２１３，２１４は、背面壁２１１および底面壁２１２の左右両端を接続するように形成されており、後方に向かうにしたがって内側に傾斜するように形成されている。
延出部２１５，２１６は、側壁２１３，２１４の縦寸法より大きく形成され、略中央部分に、背面方向に向かって膨出した膨出部２１５Ａ，２１６Ａが形成されている。この膨出部２１５Ａ，２１６Ａは、フレーム枠２２のスピーカ設置部２２２，２２３（図１）と合わさって、スピーカエンクロージャを形成する。
【００２０】
下部キャビネット３の背面側は、ミラーケース２１の背面壁２１１、側壁２１３，２１４と各々接続するように、背面壁（背面部）３１１、側壁（側面部）３１３，３１４により構成されている（図２）。
下部キャビネット３の背面側（背面壁３１１、側壁３１３，３１４）には、図２における左側に、第１凹部３４が形成され、右側に、第２凹部３５が形成されている。
このうち、第１凹部３４には、略正方形状のランプ交換口３４Ａが形成され、当該ランプ交換口３４Ａは、ランプカバー３４Ｂによって覆われている。このランプ交換口３４Ａは、ランプカバー３４Ｂを取り外すことによって開放され、当該ランプ交換口３４Ａを介して、後述する光学ユニット４（図８）の光源装置４１（図８）を交換できるように構成されている。
第２凹部３５には、電源ケーブル３５Ａ、および、背面側操作パネルとしてのリアパネル３５Ｂが設けられている。このうち、リアパネル３５Ｂには、具体的に、ＰＣ接続端子としてのＤＶＩ（Digital Visual Interface）端子、アンテナ入力端子、および、複数系統のビデオ・音声入出力端子等が配設されている。
これら、第１凹部３４および第２凹部３５の下方には、レール３０が配設され、端子収納部３０Ａが摺動可能に取り付けられているが詳細は後述する。
【００２１】
なお、第１凹部３４および第２凹部３５とレール３０との間には、下部キャビネット３内部に収納された電子部品を冷却する冷却空気を導入するための吸気口３６（３６Ａ，３６Ｂ）が形成されている。
また、第１凹部３４の左側および第２凹部３５の右側には、排気口３７（３７Ａ，３７Ｂ，３７Ｃ）が形成されている。これら排気口３７Ａ〜３７Ｃは、下部キャビネット３内の各種装置を冷却した空気が排出される開口であり、スリット状に形成されている。
【００２２】
（２）内部構成
（2-1）上部キャビネット２の内部構成
図４は、上部キャビネット２の内部構成を示す図である。具体的に、図４は、図１の状態からスクリーンを取り外したリアプロジェクタ１の正面側斜視図である。
上部キャビネット２の内部には、図４に示すように、下部キャビネット３内部に設けられた後述する光学ユニット４（図８）の投射レンズ４６から射出された光学像としての光束を反射する反射ミラー２Ａが収納される。この反射ミラー２Ａは、背面壁２１１（図２）の形状と略同じ平面視略台形状に形成された一般的なミラーであり、上部キャビネット２の背面壁２１１（図２）の内側に、台形状の長辺が上側となるように傾斜して取り付けられる。この反射ミラー２Ａの傾斜角は、正面側に取り付けられるスクリーン２Ｂ（図１）と後述する光学ユニット４の投射レンズ４６（図８）による映像の反射との位置関係に基づいて設定されている。
【００２３】
また、ミラーケース２１の底面壁２１２は、長辺が前方側に位置する平面視略台形状の形状を有している。この底面壁２１２は、背面側に向かうにしたがって上方に傾斜するように形成され、背面側の端部で背面壁２１１（図２）と、また、左右の端部で側壁２１３，２１４（図２）と接続されている。
この底面壁２１２には、正面側の略中央部分に略矩形状の切欠２１２Ａが形成されており、後述する光学ユニット４（図８）の投射レンズ４６が露出する。また、当該切欠２１２Ａの左側には、上方に向かって膨出した膨出部２１２Ｂが形成されている。この膨出部２１２Ｂは、後述する電源ユニット６（図５）に対応する位置に形成されている。
【００２４】
（2-2）下部キャビネット３の内部構成
図５は、下部キャビネット３の内部構成を示す図である。詳述すると、図５は、図２の状態から下部キャビネット３の背面側の外装筐体を取り外したリアプロジェクタ１の背面側斜視図である。ここで、下部キャビネット３の内部は上段３Ａと下段３Ｂの２段に別れている。
図６は、下部キャビネット３の上段３Ａの構成を模式的に示した平面図である。下部キャビネット３の上段３Ａには、光学像を形成する光学ユニット４、リアプロジェクタ１全体の駆動制御を行う制御基板５、および、各電子部品に駆動電力を供給する電源ユニット６等を収納する。すなわち、光学像形成等のリアプロジェクタ１における主要な処理は、下部キャビネット３の上段３Ａに収納された構成部品によって実行される。
【００２５】
このうち、光学ユニット４は、図５および図６に示すように、下部キャビネット３の上段３Ａの略中央から右側、すなわち、背面側から見て左側に配置されている。また、制御基板５および電源ユニット６は、下部キャビネット３の上段３Ａの略中央から左側、すなわち、背面側から見て略中央から右側に配置されている。
そして、制御基板５からは、外部接続端子３０Ａ１に接続するための複数の入出力信号線３０Ｂが出ており、下部キャビネット３の上段３Ａの底面に開いた孔３Ｃを通って下部キャビネット３の下段３Ｂに延びている。下部キャビネット３の下段３Ｂは内部が空洞となっており、上述の各入出力信号線３０Ｂは、レール３０を介して各外部接続端子３０Ａ１に接続されるが、これらについての詳細は後述する。
【００２６】
（３）光学ユニット４の構成
図７は、光学ユニット４を示す斜視図である。また、図８は、光学ユニット４の光学系を示す模式図である。
光学ユニット４は、光源装置４１から射出された光束を、液晶パネル４５１により入力する画像情報に応じて変調して光学像を形成し、当該形成した光学像を投射レンズ４６により反射ミラー２Ａ（図４）を介して、スクリーン２Ｂに拡大投射するものである。この光学ユニット４は、図７に示すように、下部キャビネットの底部内面の光学ユニット載置台３８上に載置される。
なお、この光学ユニット載置台３８は、複数の板状部材から構成され、光学ユニット４を所定の位置に固定するための板状部材である。
【００２７】
このような光学ユニット４は、図８に示すように、光源装置４１と、インテグレータ照明光学系４２と、色分離光学系４３と、リレー光学系４４と、電気光学装置４５と、投射光学系としての投射レンズ４６と、これらを内部に収納する光学部品用筐体４７と、投射レンズ４６を保持固定するヘッド体４８とを備えて構成されている。
【００２８】
光源装置４１は、放射光源としての光源ランプ４１１と、リフレクタ４１２と、防爆ガラス４１３と、これらを内部に収納する合成樹脂製の筐体である光源ランプボックス４１４とを備えて構成されている。そして、この光源装置４１は、光源ランプ４１１から射出された放射状の光線をリフレクタ４１２で反射して平行光線とし、この平行光線を、防爆ガラス４１３を介して外部へと射出する。
【００２９】
このうち、光源ランプ４１１は、本実施形態では、高圧水銀ランプが採用されている。なお、高圧水銀ランプ以外に、メタルハライドランプやハロゲンランプ等を採用することもできる。また、リフレクタ４１２としては、放物面鏡を採用しているが、放物面鏡の代わりに、平行化凹レンズおよび楕円面鏡を組み合わせたものを採用してもよい。
防爆ガラス４１３は、リフレクタ４１２の開口部分を閉塞する透光性のガラス部材であり、光源ランプ４１１が破裂した場合に、当該光源ランプ４１１の破片が、光源ランプボックス４１４から外部に飛散しないように構成されている。
光源ランプボックス４１４には、図７に示すように、背面方向に向かって延出した一対の把手４１４Ａが形成されており、光源装置４１を交換する際に、光源ランプボックス４１４を把持しやすいように構成されている。そして、光源ランプ４１１の寿命および破損等により光源装置４１を交換する必要が生じた場合には、前述のランプカバー３４Ｂを開放して、ランプ交換口３４Ａから光源装置４１ごと交換できるように構成されている。
【００３０】
インテグレータ照明光学系４２は、電気光学装置４５を構成する後述する３つの液晶パネル４５１の画像形成領域をほぼ均一に照明するための光学系である。このインテグレータ照明光学系４２は、図８に示すように、第１レンズアレイ４２１と、第２レンズアレイ４２２と、偏光変換素子４２３と、重畳レンズ４２４とを備えて構成されている。
第１レンズアレイ４２１は、光軸方向から見てほぼ矩形状の輪郭を有する小レンズがマトリクス状に配列された構成を有し、各小レンズは、光源装置４１から射出された光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を後述する液晶パネル４５１上に結像させる機能を有する。
【００３１】
偏光変換素子４２３は、第２レンズアレイ４２２と重畳レンズ４２４との間に配設される。このような偏光変換素子４２３は、第２レンズアレイ４２２からの光を略１種類の直線偏光に変換するものであり、これにより、電気光学装置４５での光の利用効率が高められている。
具体的に、偏光変換素子４２３によって略１種類の直線偏光に変換された各部分光は、重畳レンズ４２４によって最終的に電気光学装置４５の後述する液晶パネル４５１上にほぼ重畳される。偏光光を変調するタイプの液晶パネル４５１を用いたリアプロジェクタ１では、１種類の直線偏光しか利用できないため、他種類のランダムな偏光光を発する光源ランプ４１１からの光のほぼ半分が利用されない。そこで、偏光変換素子４２３を用いることにより、光源ランプ４１１から射出された光束を略１種類の直線偏光に変換し、電気光学装置４５での光の利用効率を高めている。
なお、このような偏光変換素子４２３は、例えば特開平８−３０４７３９号公報に紹介されている。
【００３２】
色分離光学系４３は、２枚のダイクロイックミラー４３１，４３２と、反射ミラー４３３とを備え、ダイクロイックミラー４３１，４３２によりインテグレータ照明光学系４２から射出された光束を赤（Ｒ）、緑（Ｇ）、青（Ｂ）の３色の色光に分離する機能を有している。
【００３３】
リレー光学系４４は、入射側レンズ４４１と、リレーレンズ４４３と、反射ミラー４４２，４４４とを備え、色分離光学系４３で分離された色光である赤色光を電気光学装置４５の後述する赤色光用の液晶パネル４５１Ｒまで導く機能を有している。
この際、色分離光学系４３のダイクロイックミラー４３１では、インテグレータ照明光学系４２から射出された光束の赤色光成分と緑色光成分とが透過するとともに、青色光成分が反射する。ダイクロイックミラー４３１によって反射した青色光は、反射ミラー４３３で反射し、フィールドレンズ４５５を通って、電気光学装置４５の後述する青色光用の液晶パネル４５１Ｂに到達する。このフィールドレンズ４５５は、第２レンズアレイ４２２から射出された各部分光束をその中心軸（主光線）に対して平行な光束に変換する。他の緑色光用、赤色光用の光変調装置の光束入射側に設けられたフィールドレンズ４５５も同様である。
【００３４】
また、ダイクロイックミラー４３１を透過した赤色光と緑色光のうちで、緑色光は、ダイクロイックミラー４３２によって反射し、フィールドレンズ４５５を通って、緑色光用の液晶パネル４５１Ｇに到達する。一方、赤色光は、ダイクロイックミラー４３２を透過してリレー光学系４４を通り、さらにフィールドレンズ４５５を通って、赤色光用の液晶パネル４５１Ｒに到達する。
なお、赤色光にリレー光学系４４が用いられているのは、赤色光の光路の長さが他の色
光の光路の長さよりも長いため、光の発散等による光の利用効率の低下を防止するためである。すなわち、入射側レンズ４４１に入射した部分光束をそのまま、フィールドレンズ４５５に伝えるためである。なお、リレー光学系４４には、３つの色光のうちの赤色光を通す構成としたが、これに限らず、青色光や緑色光を通す構成としてもよい。
【００３５】
電気光学装置４５は、入射された光束を画像情報に応じて変調してカラー画像を形成するものであり、色分離光学系４３で分離された各色光が入射される３つの入射側偏光板４５２と、各入射側偏光板４５２の光路後段に配置される光変調素子としての３つの液晶パネル４５１（赤色光用の光変調装置を４５１Ｒ、緑色光用の光変調装置を４５１Ｇ、青色光用の光変調装置を４５１Ｂとする）と、各液晶パネル４５１の光路後段に配置される３つの射出側偏光板４５３と、色合成光学装置としてのクロスダイクロイックプリズム４５４とを備える。そして、これら入射側偏光板４５２、液晶パネル４５１、射出側偏光板４５３、およびクロスダイクロイックプリズム４５４は、一体的にユニット化されている。なお、入射側偏光板４５２、液晶パネル４５１、および、射出側偏光板４５３は、具体的な図示は省略するが、所定の間隔を空けて配置している。
【００３６】
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
【００３７】
液晶パネル４５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板４５２から射出された偏光光束の偏光方向を変調する。
【００３８】
射出側偏光板４５３は、入射側偏光板４５２と略同様の構成であり、液晶パネル４５１の画像形成領域から射出された光束のうち、入射側偏光板４５２における光束の透過軸と直交する偏光軸を有する光束のみ透過させ、その他の光束を吸収するものである。
【００３９】
クロスダイクロイックプリズム４５４は、射出側偏光板４５３から射出された色光毎に変調された光学像を合成してカラー画像を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｒ，４５１Ｂから射出され射出側偏光板４５３を介した各色光を反射し、液晶パネル４５１Ｇから射出され射出側偏光板４５３を介した色光を透過する。このようにして、各液晶パネル４５１Ｒ，４５１Ｇ，４５１Ｂにて変調された各色光が合成され、カラー画像が形成される。
【００４０】
投射レンズ４６は、鏡筒内に複数のレンズ、および、入射光束を偏向するミラーが収納された構成を有し、電気光学装置４５から射出されたカラー画像を拡大して、反射ミラー２Ａに向けて、すなわち、正面に向かって射出されたカラー画像を上方向へと折り曲げて投射するものである。この投射レンズ４６は、電気光学装置４５の光束射出側に配置され、後述するヘッド体４８に固定されている。また、この投射レンズ４６は、図４に示すように下部キャビネット３の正面側略中央に配置され、前述の上部キャビネット２の底面壁２１２に形成された切欠２１２Ａからミラーケース２１内部に露出する。
【００４１】
光学部品用筐体４７は、図８に示すように内部に所定の照明光軸Ａが設定され、上述した光学部品４２〜４５を照明光軸Ａに対する所定位置に配置する。この光学部品用筐体４７は、図７および図８に示すように、光源装置収納部材４７１と、部品収納部材４７２と、蓋状部材４７３とを備えて構成されている。
【００４２】
光源装置収納部材４７１は、詳しい図示を省略するが、背面側に開口した断面略Ｕ字状を有する箱型に形成されている。この光源装置収納部材４７１に光源装置４１を収納する際には、当該光源装置収納部材４７１に対して光源ランプボックス４１４を正面側に向かってスライドさせる。また、光源装置収納部材４７１から光源装置４１を取り出す場合には、背面側に向かって光源ランプボックス４１４をスライドさせる。
この光源装置収納部材４７１は、部品収納部材４７２に接続されており、当該部品収納部材との接続部分には、光源装置４１の光源ランプ４１１から射出される光束が通過するように開口４７１Ａが形成されている。
【００４３】
部品収納部材４７２は、上方が開口した断面略Ｕ字状を有する合成樹脂製の箱型筐体として構成されている。この部品収納部材４７２は、前述のように、一端側が光源装置収納部材４７１と接続し、他端側に投射レンズ４６を保持固定するヘッド体４８が取り付けられる。このうち、光源装置収納部材４７１に接続される側の部品収納部材４７２の端部には、光源装置収納部材４７１に収納された光源装置４１から射出された光束が、部品収納部材４７２内を通過するように略矩形の開口４７２Ａが形成されている。
この部品収納部材４７２の内部には、複数の溝が形成され、当該溝に、前述の光学部品４２１〜４２４、４３１〜４３３、４４１〜４４４、４５５を、上方から嵌め込むようにして位置決め固定する。
【００４４】
この部品収納部材４７２において、光源装置４１の光源ランプ４１１から射出され内部で導光した光束を射出する平面視Ｕ字状の射出側端部の各端面には、図８に示すように、光束を通過させるための光束通過用開口としての切欠４７２Ｂがそれぞれ形成され、当該切欠４７２Ｂを閉塞するように切欠４７２Ｂの周縁部分にフィールドレンズ４５５が取り付けられる。
また、この部品収納部材４７２には、外面に複数の脚部４７２Ｃ（図７）が形成されている。これら脚部４７２Ｃは、下部キャビネット３の底部内面に形成された光学ユニット載置台３８に、当該部品収納部材４７２を固定するためのものであり、部品収納部材４７２は、脚部４７２Ｃに形成された孔４７２Ｃ１を介して、光学ユニット載置台３８にねじ固定される。
【００４５】
蓋状部材４７３は、部品収納部材４７２の平面形状に対応する形状を有し、当該部品収納部材４７２の上部開口を閉塞するように取り付けられる合成樹脂製の筐体である。
この蓋状部材４７３の偏光変換素子４２３に対応する位置には、開口（図示省略）が形成されており、当該開口の上方には、偏光変換素子４２３を冷却するための冷却ファン９１が設けられている。
また、蓋状部材４７３の電気光学装置４５に対応する位置には、平面視略矩形状を有し、中央が開口したファン設置部材４９が取り付けられている。このファン設置部材４９の上方には、電気光学装置４５を冷却する冷却ファン（図示省略）が設置される。
【００４６】
部品収納部材４７２の光束射出側の端部には、投射レンズ４６を保持固定するヘッド体４８が取り付けられる。
ヘッド体４８は、例えばアルミニウム合金またはマグネシウム合金等の金属材料から構成され、電気光学装置４５および投射レンズ４６を一体化するとともに、一体化したユニットを光学部品用筐体４７に対して取り付けるものである。
このヘッド体４８は、詳しい図示を省略するが、側面視略逆Ｔ字状を有し、光束入射側の水平部４８１と、光束射出側の水平部４８２と、これら水平部４８１，４８２に挟まれ、当該水平部４８１，４８２から垂直に起立する垂直部４８３とから構成されている。
このうち、光束入射側の水平部４８１には、電気光学装置４５が固定され、光束射出側の水平部４８２には、投射レンズ４６が固定される。また、垂直部４８３には、電気光学装置４５から射出された光束を投射レンズ４６に導く開口４８３Ａが形成されている。
【００４７】
（４）制御基板５の構成
制御基板５は、投射レンズ４６（図４）の左側、すなわち、図５および図６における中央右寄りに縦置きに配置されており、ＥＭＩ（Electromagnetic Interference，電磁障害）を防止するため、複数の孔が形成された金属製のシールド部材で全体が覆われている。この制御基板５は、ＣＰＵ（Central Processing Unit）、ＲＯＭ（Read Only Memory）およびＲＡＭ（Random Access Memory）等を実装した回路基板として構成され、フロントパネル（図示省略）およびリアパネル３５Ｂ（図２）に設けられた各固定端子から入力した画像情報、および、フロントパネルに配設された操作ボタンからの操作信号を処理して、光学ユニット４（図８）の液晶パネル４５１（図８）を含むリアプロジェクタ１全体の駆動制御を行う。
また、詳細は後述するが、外部機器との接続は、上述の各固定端子だけではなく、レール３０に摺動可能に取り付けられた各外部接続端子３０Ａ１によっても可能となっている。各外部接続端子３０Ａ１から延びた入出力信号線３０Ｂは、この制御基板５に接続されている。
【００４８】
（５）電源ユニット６の構成
電源ユニット６は、外部から入力する交流電流を直流変換して、リアプロジェクタ１を構成する各電子部品に、駆動電力を供給する。
この電源ユニット６は、図５および図６に示すように、下部キャビネット３の右側に配置され、電源ケーブル３５Ａと接続される電源ブロック６１と、光源装置収納部材４７１の正面側に配置され、光源装置４１を構成する光源ランプ４１１に駆動電力を供給する光源駆動ブロック６２とから構成されている。
このうち、電源ブロック６１は、電源ケーブル３５Ａを介して入力する商用交流電流を直流変換し、各電子部品に応じた電圧に昇圧および減圧した後に、光源駆動ブロック６２および制御基板５等の電子部品に供給する。
光源駆動ブロック６２は、電源ブロック６１から供給される直流電流を整流、変圧して、交流矩形波電流を発生させ、この交流矩形波電流を光源装置４１の光源ランプ４１１に供給する。この光源駆動ブロック６２は、前述の制御基板５に電気的に接続され、当該制御基板５により、光源駆動ブロック６２を介して、光源ランプ４１１の点灯制御がなされている。
【００４９】
（６）レール３０の構成
レール３０は、図１〜図４に示すように、下部キャビネット３の正面側両端部から、各々側壁３１３，３１４まで延びるように形成されており、また、若干距離をおいて、側壁３１３，３１４から背面壁３１１全体に渡って形成されている。
このレール３０は、下部キャビネット３の筐体自体に形成された凹部３０１と溝部３０２とを含んで構成される。
【００５０】
図９は、下部キャビネット３の下段３Ｂの背面側を拡大して示した図である。また、図１１は、後述の端子収納部３０Ａが凹部３０１に略嵌合している部分の断面図である。
これらの図からもわかるように、凹部３０１は、底が扁平な谷状構造をした段差部であり、また、この凹部３０１の巾は、端子収納部３０Ａが略嵌合できるように、端子収納部３０Ａの長手方向長さにほぼ等しくなっている。
【００５１】
図１０は、下部キャビネット３の下段３Ｂを上方から見た場合の外壁の断面図であり、レール３０が形成されている部分の構造を示したものである。
レール３０はキャビネット３の正面側両端部と側壁３１３，３１４との交差部では曲線構造を有している。また、側壁３１３，３１４と背面壁３１１との交差部においても同様に曲線構造を有している。
【００５２】
溝部３０２は、図９に示すように、凹部３０１の巾方向中央部に形成されたスリット状の孔であり、凹部３０１と同様に、下部キャビネット３の正面側両端部から両側壁３１３，３１４に各々延びている。また、両側壁３１３，３１４から背面壁３１１にも、この溝部３０１が凹部３０１の巾方向中央部に別途形成されている。この溝部３０２は、その奥が下部キャビネット３の下段３Ｂの内部空間に通じている。
【００５３】
なお、溝部３０２は下部キャビネット３自体に形成されたスリットであって、その材質は、下部キャビネット３と同じ合成樹脂であるが、後述する端子収納部３０Ａの筐体との摩擦係数を下げ、また耐久性を上げるためにシリコーンコート等を施してあってもよい。あるいは、アルミ合金のような部材で表面を覆ってもよい。
【００５４】
（７）端子収納部３０Ａの構成
端子収納部３０Ａは、図１〜図４、図１１に示すように、その本体が略直方体の形状をした部材であり、前面には、ＰＣ（Personal Computer）接続端子としてのＤ−Ｓｕｂ端子、ステレオ音声入力端子、ビデオ入力端子等の外部接続端子３０Ａ１が設けられている。また、この本体は、溝部３０２を介して、本体よりやや小さい略直方体形状の裏部材３０Ａ２と接合されており、全体として端子収納部３０Ａを構成している。
すなわち、この端子収納部３０Ａは、図１１に示すように、断面が略Ｈ型状をしており、溝部３０２を介して、下部キャビネット３に嵌合している。また、端子収納部３０Ａの裏部材３０Ａ２には板バネ３０Ａ３が設けられており、この弱い押圧力により、端子収納部３０Ａはゆるく凹部３０１と接している。
【００５５】
一方、レール３０の凹部３０１と端子収納部３０Ａの筐体はともに合成樹脂製であり、摩擦係数は小さい。それ故、この端子収納部３０Ａは、下部キャビネット３の凹部３０１の長手方向に摺動可能となっている。
また、端子収納部３０Ａが取り付けられた部分のレール３０の断面図（図１１）からわかるように、端子収納部３０Ａの各外部接続端子３０Ａ１から下部キャビネット３の内部（下段３Ｂ）には、入出力信号線３０Ｂが延びている。
この入出力信号線３０Ｂは、下部キャビネット３の上段３Ａの底面に開いた孔３Ｃを通って制御基板５内の画像信号処理部５１に接続されている。
【００５６】
前記した実施形態によれば、リアプロジェクタ１の筐体の周囲にレール３０が設けられており、そのレール３０には、複数の端子収納部３０Ａが摺動可能に取り付けられているので、端子収納部３０Ａを必要な位置にずらして利用できる。すなわち、接続する機器が増減した場合であっても、外部接続端子３０Ａ１への接続が容易となり、例えば、前面専用（固定）の外部接続端子は不要となる。その結果、接続配線が一箇所に集中することもなく、画像表示装置の周囲が常に整理された状態となる。
【００５７】
また、レール３０が筐体の少なくとも２面にまたがって配設されているので、筐体の正面側（前面部）だけでなく、背面側（側面部や背面部）にも端子収納部３０Ａを移動でき、外部接続端子３０Ａ１の使い勝手が向上する。
【００５８】
さらに、筐体の周囲に設けられたレール３０が、筐体の面と面が交差する部分で曲線構造をしており、いわゆるカーブを描いて筐体を曲がるので、筐体の正面側（前面部）から、背面側（側面部や背面部）に端子収納部３０Ａを滑らかに摺動させることできる。
【００５９】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易に
するために例示的に記載したものであり、本発明を限定するものではないから、それらの
形状、材質などの限定の一部若しくは全部の限定を外した部材の名称での記載は、本発明
に含まれるものである
【００６０】
例えば、本実施形態では、画像表示装置としてリアプロジェクタ１を用いて説明したが、プラズマ方式や液晶方式等の大型画像表示装置を用いた場合であっても、同様に外部機器の接続に際して使い勝手に優れる。
また、本実施形態では、入出力信号線３０Ｂは有線であるが無線であってもよく、リアプロジェクタ１の筐体内部の配線を簡素化できる点で好適である。
【産業上の利用可能性】
【００６１】
本発明は、リアプロジェクタ等の大型画像表示装置に好適に利用することができる。
【図面の簡単な説明】
【００６２】
【図１】本発明の一実施形態に係るリアプロジェクタを正面側から見た斜視図。
【図２】前記実施形態におけるリアプロジェクタを背面側から見た斜視図。
【図３】前記実施形態におけるリアプロジェクタを左側から見た側面図。
【図４】前記実施形態における上部キャビネットの内部構成を示す斜視図。
【図５】前記実施形態における下部キャビネットの内部構成を示す斜視図。
【図６】前記実施形態における下部キャビネットの内部構成を示す模式図。
【図７】前記実施形態における光学ユニットを示す斜視図。
【図８】前記実施形態における光学ユニットの光学系を示す模式図。
【図９】前記実施形態における下部キャビネット背面側の部分拡大図。
【図１０】前記実施形態における下部キャビネット外壁部分の断面図。
【図１１】前記実施形態におけるレールおよび端子収納部の断面図。
【符号の説明】
【００６３】
１…リアプロジェクタ（画像表示装置）、２…上部キャビネット、３…下部キャビネット、３Ａ…上段、３Ｂ…下段、３０…レール、３０Ａ…端子収納部、３０Ａ１…外部接続端子、３０Ｂ…入出力信号線、３０１…凹部、３０２…溝部
【図１】
2006211396.tif 000003
【図２】
2006211396.tif 000004
【図３】
2006211396.tif 000005
【図４】
2006211396.tif 000006
【図５】
2006211396.tif 000007
【図６】
2006211396.tif 000008
【図７】
2006211396.tif 000009
【図８】
2006211396.tif 000010
【図９】
2006211396.tif 000011
【図１０】
2006211396.tif 000012
【図１１】
2006211396.tif 000013